(57)【要約】【課題】車両の後突時に乗員の頚部を確実に保護することができる車両用シートを提供する。【解決手段】シートバック１の左右両側部の下端部に、シートバック１の傾斜角を変更調節する左側リクライニング機構９と右側リクライニング機構１０が各別に設けられ、左側リクライニング機構９の回転中心Ｏ１と右側リクライニング機構１０の回転中心Ｏ２とが同一直線上に位置するとともに、両リクライニング機構９，１０が連結ロッド１１で連結されて同期作動し、後突時のシートバック１に対する着座者の上体の沈み込みを連結ロッド１１が阻止しないように、連結ロッド１１の左右中間部１１Ｃが左右両端部１１Ａよりも後方Ｒｒに位置している。【選択図】図２
2014037205.tif 000002
【特許請求の範囲】
【請求項１】
シートバックの左右両側部の下端部に、前記シートバックの傾斜角を変更調節する左側リクライニング機構と右側リクライニング機構が各別に設けられ、
前記左側リクライニング機構の回転中心と前記右側リクライニング機構の回転中心とが同一直線上に位置するとともに、両リクライニング機構が連結ロッドで連結されて同期作動する車両用シートであって、
後突時のシートバックに対する着座者の上体の沈み込みを前記連結ロッドが阻止しないように、前記連結ロッドの左右中間部が左右両端部よりも後方に位置している車両用シート。
【請求項２】
前記両リクライニング機構がロックした状態での縦断側面視において、前記連結ロッドの左右中間部の外周が前記両リクライニング機構の回転中心の後ろ下方に位置している請求項１記載の車両用シート。
【請求項３】
シートバックフレームの左側の側部と右側の側部を連結する連結プレートが前記連結ロッドの後方に配置されている請求項１又は２記載の車両用シート。
【発明の詳細な説明】
【技術分野】
【０００１】
本発明は、
シートバックの左右両側部の下端部に、前記シートバックの傾斜角を変更調節する左側リクライニング機構と右側リクライニング機構が各別に設けられ、
前記左側リクライニング機構の回転中心と前記右側リクライニング機構の回転中心とが同一直線上に位置するとともに、両リクライニング機構が連結ロッドで連結されて同期作動する車両用シートに関する。
【背景技術】
【０００２】
従来、上記の車両用シートでは、前記連結ロッドを全長にわたってストレートに形成するとともに、連結ロッドの軸芯を両リクライニング機構間の前記直線上に位置させ、さらに、後突時にシートバックに沈み込む乗員の腰部を後方から支持する剛体支持部を設けてあった。（特許文献１参照）。
これにより、車両が後突した際、乗員の上体を剛体支持部を支点として後方に回転させ、乗員の頭部の回転角度と上体の回転角度との差を小さくすることで、乗員の頚部への負担を小さくしてあった。
【先行技術文献】
【特許文献】
【０００３】
【特許文献１】特開２０１１−３１７３０号公報
【発明の概要】
【発明が解決しようとする課題】
【０００４】
しかしながら、上記従来の構造によれば、前記連結ロッドを全長にわたってストレートに形成してあったために、両リクライニング機構の回転中心及び連結ロッドが高い位置にある場合、連結ロッドが、後方に回転する乗員の上体の邪魔になっていた。
そのために、乗員の腰部が剛体支持部に到達する深さまで乗員の上体がシートバックに沈み込むことが困難であった。また、連結ロッドが乗員の上体に押されてシートバックが後方に移動する為、乗員の頭部からヘッドレストまでの距離がより大きくなってしまう虞があった。
本発明の目的は、車両の後突時に乗員の頚部を確実に保護することができる車両用シートを提供する点にある。
【課題を解決するための手段】
【０００５】
本発明の特徴は、
シートバックの左右両側部の下端部に、前記シートバックの傾斜角を変更調節する左側リクライニング機構と右側リクライニング機構が各別に設けられ、
前記左側リクライニング機構の回転中心と前記右側リクライニング機構の回転中心とが同一直線上に位置するとともに、両リクライニング機構が連結ロッドで連結されて同期作動する車両用シートであって、
後突時のシートバックに対する着座者の上体の沈み込みを前記連結ロッドが阻止しないように、前記連結ロッドの左右中間部が左右両端部よりも後方に位置している点にある。（請求項１）
【０００６】
この構成によれば、両リクライニング機構の回転中心及び連結ロッドが乗員の腰部近くの高い位置にあっても、連結ロッドがシートバックに対する乗員の上体の沈み込みの邪魔になることがない。
これにより、車両の後突の際には、乗員の腰部から上体にわたる部分をシートバックに対して充分沈み込ませることができる。従って、乗員の肩部をシートバックの上部にしっかりと支持させ、最終的に乗員の頭部をヘッドレストに近接させて頚椎の変位を減らすことにより、乗員の頚部に加わる負担を軽減することができる。（請求項１）
【０００７】
本発明において、
前記両リクライニング機構がロックした状態での縦断側面視において、前記連結ロッドの左右中間部の外周が前記両リクライニング機構の回転中心の後ろ下方に位置していると、次の作用を奏することができる。（請求項２）
【０００８】
一般に、両リクライニング機構はロック及びロック解除自在に構成されている。そして、両リクライニング機構のロック解除時にシートクッションに対するシートバックの傾斜角が変更調節され、ロック時に乗員が車両用シートに着座する。
本発明の上記構成によれば、両リクライニング機構がロックした乗員の着座状態での縦断側面視において、連結ロッドの左右中間部の外周が両リクライニング機構の回転中心の後ろ下方に位置しているから、連結ロッドがシートバックに対する乗員の上体の沈み込みの邪魔になることがない。
また、乗員がシートバックに対して倒れ掛かる方向に沈み込んだ時、連結ロッドには真後ろではなくやや上方から乗員の荷重がかかることになるが、本発明の上記の構成によれば、沈み込んだ乗員の上方からの荷重に対して、連結ロッドは下方に容易に逃げて変形することができる。つまり、乗員がシートバックに対して大きく沈み込んだ場合にも、連結ロッドがシートバックに対する乗員の上体の沈み込みの邪魔になることがない。（請求項２）
【０００９】
本発明において、
シートバックフレームの左側の側部と右側の側部を連結する連結プレートが前記連結ロッドの後方に配置されていると、次の作用を奏することができる。（請求項３）
【００１０】
本発明の車両用シートが前席として構成されている場合、後席の乗員の足等が連結ロッドにシートバックの表皮材の上から当たることを前記連結プレートにより阻止することができる。
一般に、前記連結ロッドは、両リクライニング機構のロック状態とロック解除状態との切り換えの際に、両リクライニング機構の回転中心周りに回転して両リクライニング機構を同期作動させる。
本発明の上記の構成によれば、後席の乗員の足等が連結ロッドにシートバックの表皮材の上から当たることを前記連結プレートにより阻止することができるから、連結ロッドを前記回転中心周りに円滑に回転させることができる。（請求項３）
【発明の効果】
【００１１】
本発明によれば、
車両の後突時に乗員の頚部を確実に保護することができる車両用シートを提供することができた。
【図面の簡単な説明】
【００１２】
【図１】シートバックの分解斜視図
【図２】シートバックフレームの斜視図
【図３】（ａ）は、両リクライニング機構のロック時の連結ロッドの左右中間部の位置と、連結ロッドのフルストローク時の前記左右中間部の位置とを示す縦断側面図、（ｂ）は、連結ロッドの左右中間部とその周囲の部分の拡大図
【発明を実施するための形態】
【００１３】
以下、本発明を実施するための形態を図面に基づいて説明する。
図１に車両用シートのシートバック１の分解斜視図を示してある。前記シートバック１は乗員の上半身を支持する。このシートバック１と、乗員の臀部及び大腿部を支持するシートクッション（図示せず）とで前記車両用シートが構成される。前記車両用シートは自動車の前席を構成している。
【００１４】
［シートバック１の構造］
前記シートバック１は、骨組みとなるシートバックフレーム２と、シートバックフレーム２に支持されるシートバックパッド３と、シートバックパッド３を覆う表皮材４とから成る。シートバックパッド３は発泡ウレタンで形成され、表皮材４は布で形成されている。表皮材４が革で形成されていてもよい。
【００１５】
［シートバックフレーム２の構造］
図２に示すように、シートバックフレーム２は、板状の左側のサイドフレーム５（シートバックフレームの左側の側部に相当）と、板状の右側のサイドフレーム６（シートバックフレームの右側の側部に相当）と、両サイドフレーム５，６の上端部を連結する上下逆Ｕ字状の上側パイプ７と、両サイドフレーム５，６の下端部を連結する連結プレート８とを備えている。前記上側パイプ７には、ヘッドレスト５０（図３（ａ）参照）の左右一対の支持ロッド５１を各別に挿入させる左右一対のガイド部材を内嵌する縦パイプ２０が溶接固着されている。
【００１６】
前記サイドフレーム５，６は上側ほどシート前後方向の幅が狭くなる上窄まり状に形成され、前記サイドフレーム５，６の幅方向の両端部に、シート幅方向内側に張り出す前側フランジＦ１と後側フランジＦ２が形成されている。また、両サイドフレーム５，６の上下方向中間部に上下一対の波形のスプリングＳが架け渡されている。
【００１７】
前記左側のサイドフレーム５の下端部は、左側の支持ブラケット１２に回転中心Ｏ１周りに回転自在に支持され、右側のサイドフレーム６の下端部は、右側の支持ブラケット１３に回転中心Ｏ２周りに回転自在に支持されている。両支持ブラケット１２，１３はシートクッションのシートクッションフレーム（図示せず）に固定される。これにより、シートバック１がシートクッションに対して前記回転中心Ｏ１，Ｏ２周りに回転して、シートクッションに対するシートバック１の傾斜角が変更される。
【００１８】
[左側リクライニング機構９と右側リクライニング機構１０の構造]
図２に示すように、シートバック１の左右両側部の下端部に、シートバック１の傾斜角を変更調節する左側リクライニング機構９と右側リクライニング機構１０が各別に設けられている。すなわち、左側のサイドフレーム５の下端部に左側リクライニング機構９が設けられ、右側のサイドフレーム６の下端部に右側リクライニング機構１０が設けられている。
【００１９】
左側の前記回転中心Ｏ１は左側リクライニング機構９の回転中心となり、右側の前記回転中心Ｏ２は右側リクライニング機構１０の回転中心となっている。左側リクライニング機構９の回転中心Ｏ１と右側リクライニング機構１０の回転中心Ｏ２とは同一直線上に位置する（図３（ｂ）参照）。
【００２０】
前記両リクライニング機構９，１０は、パイプ材から成る連結ロッド１１で連結されて同期作動する。詳述すると、左側リクライニング機構９には左側の回転中心Ｏ１と同芯の左側回転軸（図示せず）が設けられ、右側リクライニング機構１０には右側の回転中心Ｏ２と同芯の右側回転軸（図示せず）が設けられている。そして、連結ロッド１１の左端部が左側回転軸に連結固定され、連結ロッド１１の右端部が右側回転軸に連結固定されている。
【００２１】
また、両リクライニング機構９，１０に、前記シートバックフレーム２を前記回転中心Ｏ１，Ｏ２周りで前方Ｆｒ（シート前方側）に揺動付勢するバネが設けられている。さらに、バネの付勢力に抗して所定角度後方Ｒｒに揺動したシートバックフレーム２を保持するロック機構が両リクライニング機構９，１０に設けられている。そして、前記ロック機構をロック解除する操作レバー１２Ａがシートバック１の左右一方の側部に設けられている。
【００２２】
前記操作レバー１２Ａは前記左側回転軸・連結ロッド１１・右側回転軸を一体に回転させる。左側の前記ロック機構は、左側回転軸と、左側のサイドフレーム５の下端部と、左側の支持ブラケット１２との間に設けられている。また、右側の前記ロック機構は、右側回転軸と、右側のサイドフレーム５の下端部と、右側の支持ブラケット１３との間に設けられている。
【００２３】
シートバック１の傾斜角を変更調節する場合、乗員が操作レバー１２Ａを揺動させてロック機構をロック解除する。そして、乗員がシートバック１をバネの付勢力に抗して後方に所定の角度揺動させ、操作レバー１２Ａを元の位置に復帰させて前記ロック機構をロック作動させる。これにより、シートバック１の傾斜角を所定の角度に設定することができる。
【００２４】
［連結ロッド１１の構造］
図３（ａ），図３（ｂ）に示すように、後突時のシートバック１に対する乗員Ａの上体の沈み込みを連結ロッド１１が阻止しないように、連結ロッド１１の左右中間部１１Ｃが左右両端部１１Ａよりも後方Ｒｒ（シート後方側）に位置している。連結ロッド１１の左右中間部１１Ｃと両端部１１Ａとの間は折曲されている。前記連結ロッド１１の左右中間部１１Ｃは、乗員Ａの腰部幅と略同一（腰部幅以上であってもよい）の長さに設定され、シート幅方向に沿うストレート状に形成されている。
【００２５】
図３（ａ），図３（ｂ）の実線の符号１１Ｃは両リクライニング機構９，１０のロック時の連結ロッド１１の左右中間部を示し、二点鎖線の符号１１Ｃはフルストローク時の連結ロッド１１の左右中間部を示す。図３（ａ），図３（ｂ）に示すように、両リクライニング機構９，１０がロックした状態での縦断側面視において、前記連結ロッド１１の左右中間部１１Ｃの外周は、両リクライニング機構９，１０の回転中心Ｏ１，Ｏ２の後ろ下方（後方かつ下方であり、図３の（ｂ）のエリアＸ内）に位置している。
【００２６】
［連結プレート８の構造］
図１，図２に示すように、前記連結プレート８はシート幅方向（左右方向）に長い帯板状に形成されている。そして、図３（ａ），図３（ｂ）に示すように、連結プレート８の下端部が連結ロッド１１の後方Ｒｒに位置して、連結プレート８が連結ロッド１１の後ろ上方を連結ロッド１１の略全長にわたって覆っている。
【００２７】
図１，図２に示すように、連結プレート８の左側の端部８Ａは、左側のサイドフレーム５の後側フランジＦ２の内面（前方Ｆｒを向く面）に溶接固着され、連結プレート８の右側の端部は、右側のサイドフレーム６の後側フランジＦ２の内面に溶接固着されている。
【００２８】
上記の構成により、連結ロッド１１の後ろ上方を連結プレート８により広い範囲にわたって覆うことができる。従って、後席を構成する車両用シートに着座している乗員の足等が連結ロッド１１にシートバック１の表皮材４の上から当たることを連結プレート８により確実に阻止することができる。その結果、操作レバー１２Ａの操作に伴って、連結ロッド１１を両リクライニング機構９，１０の回転中心Ｏ１，Ｏ２周りに円滑に回転させることができる。
【００２９】
上記の構成によれば、
（１）  図３（ａ），図３（ｂ）に示すように、両リクライニング機構９，１０の回転中心Ｏ１，Ｏ２及び連結ロッド１１が乗員Ａの腰部Ａ１近くの高い位置にあっても、連結ロッド１１がシートバック１に対する乗員Ａの上体Ａ２（上半身）の沈み込みの邪魔になることがない。
これにより、車両の後突の際には、乗員Ａの腰部Ａ１から上体Ａ２にわたる部分をシートバック１に対して充分沈み込ませることができる。従って、乗員Ａの肩部Ａ３をシートバック１の上部にしっかりと支持させ、最終的に乗員Ａの頭部Ａ５をヘッドレスト５０に近接させて頚椎の変位を減らすことにより、乗員Ａの頚部Ａ６に加わる負担を軽減することができる。図３（ａ）の二つの符号Ａ５のうち、後方Ｒｒの二点鎖線で示した符号Ａ５は、後突時に後方Ｒｒに変位した乗員Ａの頭部を示す。
【００３０】
（２）  両リクライニング機構９，１０がロックした乗員Ａの着座状態での縦断側面視において、連結ロッド１１の左右中間部１１Ｃの外周が両リクライニング機構９，１０の回転中心Ｏ１，Ｏ２の後ろ下方に位置しているから、連結ロッド１１がシートバック１に対する乗員Ａの上体Ａ２の沈み込みの邪魔になることがない。
さらに、乗員Ａがシートバック１に対して倒れ掛かる方向に沈み込んだ時、連結ロッド１１には真後ろではなくやや上方から荷重がかかることになるが、本発明の上記の構成によれば、沈み込んだ乗員Ａの上方からの荷重に対して、連結ロッド１１は下方に容易に逃げて変形することができる。つまり、乗員Ａがシートバック１に対して大きく沈み込んだ場合にも、連結ロッド１１がシートバック１に対する乗員Ａの上体Ａ２の沈み込みを邪魔になることがない。
【００３１】
［別実施形態］
前記車両用シートが自動車の後席を構成する場合にも本発明を適用することができる。
【符号の説明】
【００３２】
１          シートバック
２          シートバックフレーム
５          シートバックフレームの左側の側部（左側のサイドフレーム）
６          シートバックフレームの右側の側部（右側のサイドフレーム）
８          連結プレート
９          左側リクライニング機構
１０        右側リクライニング機構
１１        連結ロッド
１１Ａ      連結ロッドの左右両端部
１１Ｃ      連結ロッドの左右中間部
Ａ          着座者（乗員）
Ａ１        着座者の腰部
Ｒｒ        後方
Ｏ１        左側リクライニング機構の回転中心
Ｏ２        右側リクライニング機構の回転中心
【図１】
2014037205.tif 000003
【図２】
2014037205.tif 000004
【図３】
2014037205.tif 000005